(57)【要約】【課題】閲覧できる者が予め登録されたＷｅｂサイトを、携帯端末を保有する管理者から離れた場所にある閲覧端末からであっても閲覧することのできるＷｅｂサイト閲覧方法及びＷｅｂサイト閲覧システムを提供する。【解決手段】ステップＳ１において、閲覧希望者はブラウザを立ち上げる。ステップＳ２において、Ｗｅｂサイト提供サーバーは操作端末用パソコン上にログイン認証画面を表示させる。ステップＳ３において、閲覧希望者はログイン名およびパスワードを入力する。ステップＳ４において、Ｗｅｂサイト提供サーバーは入力されたログイン名およびパスワードを照合し認証を行う。ステップＳ５において、Ｗｅｂサイト提供サーバーは携帯端末管理サーバーに対し承認要求を通知する。ステップＳ６において、携帯端末管理サーバーは予め登録された所定の携帯端末に対してＷｅｂサイト提供サーバーへのログイン承認要求を通知する。【選択図】図３
2005122526.tif 000002
【特許請求の範囲】
【請求項１】
閲覧できる者が予め登録されたＷｅｂサイトの閲覧方法であって、
前記Ｗｅｂサイトの管理者の携帯端末を予め登録しておく管理者登録工程と、
前記Ｗｅｂサイトの閲覧希望者が閲覧端末から閲覧要求を送信する閲覧要求工程と、
前記閲覧要求に対する承認を前記携帯端末を介して前記管理者に求める承認要求工程と、
を備えるＷｅｂサイト閲覧方法。
【請求項２】
請求項１に記載のＷｅｂサイト閲覧方法であって、
前記閲覧希望者が前記Ｗｅｂサイトに予め登録されているかどうかの認証を行う第１認証工程と、
前記携帯端末の操作者が予め登録された管理者であるかどうかの認証を行う第２認証工程と、
をさらに備えるＷｅｂサイト閲覧方法。
【請求項３】
請求項１又は請求項２に記載のＷｅｂサイト閲覧方法であって、
前記承認を特定する識別コードを履歴に残す工程
をさらに備えるＷｅｂサイト閲覧方法。
【請求項４】
請求項１乃至請求項３のいずれかに記載のＷｅｂサイト閲覧方法であって、
前記承認要求工程は、
電子メールを生成し前記携帯端末に送信する工程
を備えるＷｅｂサイト閲覧方法。
【請求項５】
請求項２に記載のＷｅｂサイト閲覧方法であって、
前記第１認証工程及び前記第２認証工程は互いに異なる事業者により行われる
Ｗｅｂサイト閲覧方法。
【請求項６】
請求項４に記載のＷｅｂサイト閲覧方法であって、
前記電子メールには広告が掲載される
Ｗｅｂサイト閲覧方法。
【請求項７】
請求項１乃至請求項６のいずれかに記載のＷｅｂサイト閲覧方法であって、
前記管理者登録工程は、前記Ｗｅｂサイトの複数の管理者の携帯端末を予め登録しておく工程を含み、
前記承認要求工程は、前記閲覧要求に対する承認を前記複数の管理者に順次求める工程
を含む、
Ｗｅｂサイト閲覧方法。
【請求項８】
閲覧できる者が予め登録されたＷｅｂサイトを提供するＷｅｂサイト提供サーバーと、
前記Ｗｅｂサイトの管理者が操作する携帯端末と、
前記携帯端末を予め登録された携帯端末管理サーバーと、
前記Ｗｅｂサイトの閲覧希望者が閲覧要求を送信する閲覧端末と、
を備え、
前記Ｗｅｂサイト提供サーバーは、前記閲覧要求に対する承認を、前記携帯端末管理サーバー及び前記携帯端末が介して前記管理者に求める
Ｗｅｂサイト閲覧システム。
【請求項９】
請求項８に記載のＷｅｂサイト閲覧システムであって、
前記Ｗｅｂサイトで表示するためのデータを収集し前記Ｗｅｂサイト提供サーバーに送信するデータ収集手段
をさらに備えるＷｅｂサイト閲覧システム。
【発明の詳細な説明】
【技術分野】
【０００１】
本発明は、Ｗｅｂサイト閲覧方法及びＷｅｂサイト閲覧システムに関し、特に、Ｗｅｂサイトにおいて、個人等に係るプライベートなコンテンツを、その関係者が閲覧するための技術に関する。
【背景技術】
【０００２】
従来のＷｅｂサイト閲覧方法及びＷｅｂサイト閲覧システムにおいては、インターネット上で閲覧可能なＷｅｂサイトを閲覧する場合には、閲覧希望者は以下のような手順で認証を行っていた。
【０００３】
閲覧希望者は、Ｗｅｂサイトを最初にアクセスしたときに、自分の所有する携帯端末等のメールアドレスを入力する。入力されたメールアドレスは、専用に設置された認証サーバーに登録され、登録完了を示すパスワード等の情報を含むメールがその携帯端末等に返信される。閲覧希望者は、このパスワードをＷｅｂサイトに入力することにより、携帯端末等の所有者であると識別され認証される。これにより、Ｗｅｂサイトの閲覧が可能となる。このようなＷｅｂサイト閲覧方法及びＷｅｂサイト閲覧システムの例は、例えば特許文献１に示されている。
【０００４】
また、簡易インターネットを利用可能な固定電話機や携帯端末を用いた取引等のＷｅｂサイト閲覧方法及びＷｅｂサイト閲覧システムとしては、次のような手順で認証を行っていた。
【０００５】
認証サーバは、閲覧希望者が所有する携帯端末等に、簡易インターネットメール等で、認証用のＨＴＭＬコンテンツを送付する。閲覧希望者は、携帯端末等でこのＨＴＭＬコンテンツを表示させ、ＨＴＭＬコンテンツに含まれる電話番号にアクセスする。このとき、携帯端末等の電話番号が認証サーバーに通知されることにより、認証サーバーが登録を行うことができる。このようなＷｅｂサイト閲覧方法及びＷｅｂサイト閲覧システムの例は、例えば特許文献２に示されている。
【０００６】
【特許文献１】特開２００２−１１７００６号公報（第５頁、第３図）
【特許文献２】特開２００２−３３５３３０号公報（第３−４頁、第２図）
【発明の開示】
【発明が解決しようとする課題】
【０００７】
従来の携帯端末等を用いたＷｅｂサイト閲覧方法及びＷｅｂサイト閲覧システムは、主に本人（または、本人が保有すると想定される携帯端末）からの操作による、課金や取引決済上の認証を目的としている。従って、認証を希望する本人が自身の操作により所定のＷｅｂサイトにアクセスし、認証されるための操作を行い、操作内容が許可された場合にはシステム側から認証を行っている。そのため、以下のような問題点があった。
【０００８】
例えば、世帯や個人毎にカスタマイズされたプライベートコンテンツ、即ち、家庭内の共有情報や、宅内の機器動作制御情報や、監視カメラ映像等においては、一般公開を行わず、管理者（主人）の親族等の関係者が、管理者の承認をその都度得て閲覧できるようにしたい場合がある。このとき、関係者が、携帯端末を保有する管理者から離れた場所にいる場合には、上記の承認を得ることができず、Ｗｅｂサイトを閲覧できないという問題点があった。
【０００９】
本発明は以上の問題点を解決するためになされたものであり、閲覧できる者が予め登録されたＷｅｂサイトを、携帯端末を保有する管理者から離れた場所にある閲覧端末からであっても閲覧することのできるＷｅｂサイト閲覧方法及びＷｅｂサイト閲覧システムを提供することを目的とする。
【課題を解決するための手段】
【００１０】
上記の課題を解決するために、本発明に係るＷｅｂサイト閲覧方法は、閲覧できる者が予め登録されたＷｅｂサイトの閲覧方法であって、前記Ｗｅｂサイトの管理者の携帯端末を予め登録しておく管理者登録工程と、前記Ｗｅｂサイトの閲覧希望者が閲覧端末から閲覧要求を送信する閲覧要求工程と、前記閲覧要求に対する承認を前記携帯端末を介して前記管理者に求める承認要求工程とを備える。
【００１１】
また、本発明に係るＷｅｂサイト閲覧システムは、閲覧できる者が予め登録されたＷｅｂサイトを提供するＷｅｂサイト提供サーバーと、前記Ｗｅｂサイトの管理者が操作する携帯端末と、前記携帯端末を予め登録された携帯端末管理サーバーと、前記Ｗｅｂサイトの閲覧希望者が閲覧要求を送信する閲覧端末とを備え、前記Ｗｅｂサイト提供サーバーは、前記閲覧要求に対する承認を、前記携帯端末管理サーバー及び前記携帯端末が介して前記管理者に求める。
【発明の効果】
【００１２】
本発明に係るＷｅｂサイト閲覧方法及びＷｅｂサイト閲覧システムは、閲覧できる者が予め登録されたＷｅｂサイトの閲覧希望者が、閲覧端末から閲覧要求を送信し、携帯端末を介してＷｅｂサイトの管理者に承認を求めるので、携帯端末を操作する管理者から離れた場所にある閲覧端末からであっても、Ｗｅｂサイトを閲覧することができる。
【発明を実施するための最良の形態】
【００１３】
＜実施の形態１＞
図１は、実施の形態１に係るＷｅｂサイト閲覧システムを示す構成図である。
【００１４】
図１において、管理者は、携帯端末１を保有しており、操作端末用パソコン４が配置されている自宅等からは離れた場所にいるものとする。また、管理者の家族等である閲覧希望者はＷｅｂサイト閲覧システムに予め登録されているが、自宅等において閲覧希望者が操作端末用パソコン４からプライベートコンテンツを閲覧するためには、その都度、携帯端末１を介して管理者により承認されることが必要であるとする。
【００１５】
携帯端末１は、携帯端末管理サーバー２を介して、メール受信やデータ表示を行う。携帯端末管理サーバー２は、電子メールやデータ（インターネット上のデータや自サーバ内で生成されたデータ）を、携帯端末１と送受信する。このとき、携帯端末管理サーバー２は、携帯端末１のタイプ（機種）に応じてデータを加工する。Ｗｅｂサイト提供サーバー３は、契約者に対して、カスタマイズされたポータルタイプのＷｅｂソースを提供する。操作端末用パソコン４は、インターネットに接続されＷｅｂページの閲覧端末等に用いられる。携帯端末ネットワーク５は、携帯端末管理サーバー２と接続され、携帯端末１との、電子メールやコンテンツの送受信を行うための設備である。
【００１６】
映像／データ収集制御端末６は、自端末に接続された機器の情報（例えば映像や機器の入出力状態やデータ等）をデジタル化してネットワーク回線１３に送信する。カメラ装置７は、映像／データ収集制御端末６に送信する映像情報の撮像を行うビデオカメラ等である。電子ロック装置８は、映像／データ収集制御端末６の制御に基づいて施錠や開錠を行ったり、そのロック状態を映像／データ収集制御端末６に通知したりする。センサ装置９は、機器の状態を検出し、その結果を所定の信号形式に変換して映像／データ収集制御端末６に送信する。即ち、映像／データ収集制御端末６、カメラ装置７、電子ロック装置８、及びセンサ装置９は、Ｗｅｂサイトで表示するためのデータを収集しＷｅｂサイト提供サーバー３に送信するデータ収集手段として機能する。これにより、表示ソースを収集することが可能となる。
【００１７】
広告依頼会社１０は、Ｗｅｂサイト提供サーバー３への広告データの表示ソースの提供を行い、契約者に向けた広告の表示や契約者が広告を閲覧したことに対する対価として費用を支払う。携帯端末管理サーバー２とＷｅｂサイト提供サーバー３とは専用線１２を介して接続され、互いにデータの送受信を行う。ネットワーク回線１３は、例えばインターネット等からなり、操作端末用パソコン４や映像／データ収集制御端末６等の各端末を互いに接続する。
【００１８】
図１において、各サーバ及び各ネットワークは、全ユーザーに対して共通に設けられた設備（インフラ）である。一方、各装置及び各端末は、ユーザー毎に設けられる。
【００１９】
図２に、図１のＷｅｂサイト閲覧システムにおいて、Ｗｅｂサイト提供サーバー３上に表示される情報例として、マイホーム管理サイト２０を示す。
【００２０】
マイホーム管理サイト２０上には、承認されてログインした者を識別するためのログイン名２１が表示され、ログインした者に関するプライベートな情報が表示されている。例えば、マイホーム機器状態２２として、電子ロック装置８やセンサ装置９から得られた各機器の状態を示すデータは、映像／データ収集制御端末６を介して収集される。映像／データ収集制御端末６は、Ｗｅｂサイト提供サーバー３との間で、正規の機器であることの確認のため相互認証を図る。
【００２１】
認証が確認されると、上記状態を示すデータは、Ｗｅｂサイト提供サーバー３から表示ソースとして提供され、表示される。
【００２２】
さらに、設置カメラ映像２３として、カメラ装置７からの映像情報も、同様の処理を得て送信され表示される。
【００２３】
また、マイホーム管理サイト２０上には、広告依頼会社１０から提供される広告２４や、天気予報等のお好み情報２５や、予定表等のお知らせ情報２６が表示される。お好み情報２５及びお知らせ情報２６としては、ユーザーが任意のものを設定してもよい。
【００２４】
次に、図３を用いて、図１のＷｅｂサイト閲覧システムにおいてログインがなされ、操作端末用パソコン４で、カスタマイズされたポータルタイプのＷｅｂページ（プライベートコンテンツ）を表示する手順について説明する。
【００２５】
まず、ステップＳ１において、Ｗｅｂサイト閲覧を希望する閲覧希望者は、操作端末用パソコン４のＷｅｂサイト表示用のブラウザを立ち上げ、マイホーム管理サイト２０のＷｅｂページのアドレス（ＵＲＬ）を入力することにより、Ｗｅｂサイト提供サーバー３へアクセスする。
【００２６】
次に、ステップＳ２において、Ｗｅｂサイト提供サーバー３は、ステップＳ１における閲覧要求（ＵＲＬ入力）に対する応答として、操作端末用パソコン４上に、図４に示すようなログイン認証画面を表示させる。図４のログイン認証画面においては、ログイン名およびログイン名に対応するパスワードの入力が要求される。
【００２７】
次に、ステップＳ３において、閲覧希望者は、予め登録されたログイン名およびパスワードを、図４のログイン認証画面に入力する。入力されたログイン名およびパスワードは、Ｗｅｂサイト提供サーバー３へ送信される。
【００２８】
次に、ステップＳ４において、Ｗｅｂサイト提供サーバー３は、入力されたログイン名およびパスワードを照合し認証（第１認証）を行う。このとき、入力されたログイン名およびパスワードが適切であり認証に成功した場合には、ステップＳ５に進み、この後、操作端末用パソコン４は、継続的にＷｅｂサイト提供サーバー３に、画像表示を要求する。また、入力されたログイン名およびパスワードが不適切であり認証に失敗した場合には、ステップＳ２に戻り、再度、ログイン名およびこのログイン名に対応するパスワードの入力を要求する。
【００２９】
次に、ステップＳ５において、Ｗｅｂサイト提供サーバー３は、携帯端末管理サーバー２に対し、操作端末用パソコン４を特定する固有コード（ＩＰアドレスやＭＡＣアドレスや通信経路等の、ネットワーク上の識別情報）と、ステップＳ３において入力されたログイン名とを添えて、承認要求を通知する。Ｗｅｂサイト提供サーバー３と携帯端末管理サーバー２との通信は、専用線１２を介して行われるが、あるいは専用線１２に代えてネットワーク回線１３を介して通信を行ってもよい。但し、ネットワーク回線１３を介して通信を行う場合には、セキュリティを確保するために、データを暗号化してから送受信することが望ましい。
【００３０】
なお、図３においては、ステップＳ４を行ってから、ステップＳ５を行う構成としたが、ステップＳ３を受け携帯端末管理サーバー２への通知を先に行ってもよい。即ち、ステップＳ５を先に行う構成でもよい。
【００３１】
次に、ステップＳ６において、携帯端末管理サーバー２は、予め登録された所定の携帯端末１に対して、携帯端末ネットワーク５を介し、Ｗｅｂサイト提供サーバー３へのログイン承認要求を通知する。この携帯端末１の登録は、携帯端末管理サーバー２に限らず、Ｗｅｂサイト提供サーバー３に行われていてもよく、あるいは両方のサーバに登録されていてもよい。両方のサーバに登録を行った場合には、両方のサーバーで認証を行うことにより、セキュリティをさらに高めることができる。
【００３２】
このとき、ステップＳ４において認証されたログイン名は、対応する閲覧希望者名に変換され、併せて携帯端末１に通知される。この通知は、例えば電子メールの送信により行われ、携帯端末１は、ベル音や振動やライト等の手段を用いて、この電子メールの着信を管理者に通知する。受信された電子メールは、図５に示すように、受信した日時（あるいは、所定の期間を経過した後は、年月日等を表示してもよい）および閲覧希望者名が分かるような形式で一覧表示される。
【００３３】
管理者は、一覧表示された複数の電子メールの中から、閲覧を承認したい電子メールをキー操作により選択することにより開くことができる。図６に示すように、電子メールには、承認のためのアドレス（ＵＲＬ）が表示される。このとき、電子メールは、携帯端末管理サーバー２により、携帯端末１のタイプ（機種）に合わせて適切なフォーマットに変換されて、表示が行われる。
【００３４】
次に、ステップＳ７において、図６に示されるアドレス（ＵＲＬ）を管理者がクリックすると、ＵＲＬアドレスと携帯端末１を特定する固有識別番号（サブスクライブＩＤ等）とを含むデータが、携帯端末管理サーバー２に対して送信される。
【００３５】
次に、ステップＳ８において、携帯端末管理サーバー２は、図７に示すように、ステップＳ５等において受信したデータを用いて、承認のための画面を表示する。図７においては、操作端末用パソコン４を特定する固有コード（ここではＩＰアドレス）および閲覧希望者名等が表示され、管理者に対してパスワードの入力を要求する。
【００３６】
次に、ステップＳ９において、管理者は、予め付与されたパスワードを、図７の画面上で入力する。入力されたパスワードは、携帯端末１から携帯端末管理サーバー２に対して送信される。携帯端末管理サーバー２は、受信したパスワードと、ステップＳ７において受信した携帯端末１を特定する固有識別番号とを照合し認証（第２認証）を行う。即ち、携帯端末１の操作者が、登録されている正規の所有者と同一であるかの認証が行われる。このとき、入力されたパスワードが適切であり認証に成功した場合には、ステップＳ１０に進む。また、入力されたパスワードが不適切であり認証に失敗した場合には、ステップＳ８に戻り、再度、パスワードの入力を要求する。
【００３７】
次に、ステップＳ１０において、携帯端末管理サーバー２は、Ｗｅｂサイト提供サーバー３に対して、携帯端末１の操作者の認証の成功を通知し、携帯端末１を特定する固有識別番号と、承認操作を特定し履歴を残すための識別コードとを送信する。ここで、セキュリティを確保するために、データの暗号化を行ってもよい。
【００３８】
次に、ステップＳ１１において、Ｗｅｂサイト提供サーバー３は、操作端末用パソコン４へのプライベートコンテンツの表示を承認する。これにより、図２に示されるような画面が操作端末用パソコン４へ表示される。
【００３９】
このように、本実施の形態に係るＷｅｂサイト閲覧方法及びＷｅｂサイト閲覧システムにおいては、予め登録された所定の携帯端末１に対して、携帯端末ネットワーク５を介し、Ｗｅｂサイト提供サーバー３へのログイン承認要求を電子メール等で通知する。従って、携帯端末１を保有する管理者から離れた場所にある操作端末用パソコン４からであっても、ログイン承認を得ることによりＷｅｂサイトを閲覧することができるという効果を有する。
【００４０】
また、ステップＳ３において閲覧希望者の認証を行い、ステップＳ７において管理者の認証を行うことにより本人性を特定するので、セキュリティを高めることができる。また、共通に設けられた設備（インフラ）側で認証等の動作を行うので、操作端末用パソコン４及び携帯端末１に機器やソフトウェアを追加する必要がないという効果を有する。
【００４１】
また、承認要求の電子メールや承認操作の識別コードの履歴を残すことにより不正アクセスへの対応が容易となるので、さらにセキュリティを高めることができる。
【００４２】
なお、上記においては、管理者が１名の場合について説明したが、携帯端末管理サーバー２に予め複数の携帯端末１を優先順位をつけて登録しておくことにより、優先順位の順に複数の管理者に承認を要求するようにしてもよい。これにより、１名の管理者の呼び出しができない場合にも、他の管理者に承認を要求することができるので、承認要求に柔軟に対応できるという効果を有する。
【００４３】
＜実施の形態２＞
実施の形態１においては、承認要求が電子メールで通知される場合の手順について説明したが、図８に示すように、広告依頼会社１０が携帯端末管理サーバー２においてこの電子メールに広告を掲載することにより、通信パケット料金を広告依頼会社１０が負担するようにしてもよい。
【００４４】
例えば、２００３年３月時点にＮＴＴドコモ株式会社から提供されているi-mode（登録商標）サービスにおける「メッセージＦ」サービスを用いることにより、ユーザーが負担する通信パケット料金を無料にすることができる。また、「メッセージＦ」サービスを用いて受信した電子メールは、通常のi-mode（登録商標）サービスを用いて受信した電子メールとは、携帯端末１の有する自動振り分け保存機能により、携帯端末１内の異なる保存ディレクトリに自動的に振り分けられる。これにより、ユーザーは、通常の電子メールと、Ｗｅｂサイト閲覧の承認要求の電子メールとを、分けて保存することが可能となる。また、広告依頼会社１０は、よりアクティブに広告の伝達が実現でき認識率を上げることができる。
【００４５】
このように、本実施の形態に係るＷｅｂ閲覧方法及びＷｅｂサイト閲覧システムにおいては、広告依頼会社１０が、承認要求を通知するための電子メールに広告を掲載することにより、その電子メールの通信パケット料金を負担する。従って、ユーザの負担を軽減し且つ広告依頼会社の認識率を上げることができるという効果を有する。また、「メッセージＦ」サービスを併用することにより、通常の電子メールと、Ｗｅｂサイト閲覧の承認要求の電子メールとを、分けて保存することが可能となるという効果を有する。
【００４６】
＜実施の形態３＞
実施の形態１における、携帯端末管理サーバー２及びＷｅｂサイト提供サーバー３は、図９に示すように、同一の事業者（管理会社１１）が管理するような形態をとってもよい。
【００４７】
携帯端末管理サーバー２及びＷｅｂサイト提供サーバー３を同一の事業者が管理する場合には、例えば、これらのサーバーを同一の事業所における屋内配線で接続することが可能となる。これにより、識別コード等がインターネット等のネットワーク回線１３を通過する回数を低減することができるので、セキュリティを高めることができる。また、通信処理に必要な時間等を低減することができるので、より応答性の高いサービスの提供が可能となる。
【００４８】
このように、本実施の形態に係るＷｅｂ閲覧方法及びＷｅｂサイト閲覧システムにおいては、携帯端末管理サーバー２及びＷｅｂサイト提供サーバー３は、同一の事業者（管理会社１１）が管理するので、セキュリティを高めることができ、また、より応答性の高いサービスの提供が可能となるという効果を有する。
【００４９】
＜実施の形態４＞
実施の形態１においては、携帯端末管理サーバー２は、携帯端末１におけるログイン者の認証処理と、携帯端末１に合わせた表示形式への変換処理とを行っているが、携帯端末に特化したこのような処理機能を、コアサービスとして携帯端末管理会社が提供することにより、機能の管理分担を切り分けることができる。
【００５０】
例えば、図１０に示すように、プライベートコンテンツの表示およびメンテナンスと、映像／データ収集制御端末６からの情報収集等の、エンドユーザーに対するカスタマイズに特化したサービスの提供を、管理会社１１ａが管理するＷｅｂサイト提供サーバー３が担当する。また、携帯端末１におけるログイン者の認証処理と、携帯端末１に合わせた表示形式への変換処理等の、エンドユーザーに対する携帯端末に特化したサービスの提供を、管理会社１１ｂが管理する携帯端末管理サーバー２が担当する。携帯端末管理サーバー２は、携帯端末１の機種に応じた各種情報を有し、これらの情報の更新等のメンテナンスを継続的に行う。
【００５１】
このような分担を行うことにより、管理会社１１ａは専らＷｅｂサイト提供サーバー３に関する管理を行い、管理会社１１ｂは専ら携帯端末管理サーバー２に関する管理を行うことが可能となる。従って、既存のＷｅｂサイト運用事業者が、管理会社１１ａとして、管理会社１１ｂとしての携帯端末認証サービスサイト専用事業者と協業することにより、サービスを容易に提供することができる。また、管理会社１１ｂが、携帯端末１の機種や携帯端末１を提供する携帯通信事業者に依らず統一された認証プロセスを採用することで、管理会社１１ａは、このＷｅｂサイト閲覧システムを容易に構築し、また、携帯端末１への転送処理を確実に行うことが可能となる。
【００５２】
また、携帯端末管理サーバー２において、携帯端末１への伝送機能を処理するソフトウェアには、各携帯端末１の機種に応じた各種情報が必要とされるが、携帯端末１の機種変更に伴うこれらの情報の更新等のメンテナンスを、携帯端末に特化した管理会社１１ｂが行うことにより、携帯端末１への画像表示や通知表示を確実に行うことができる。
【００５３】
このように、本実施の形態に係るＷｅｂ閲覧方法及びＷｅｂサイト閲覧システムにおいては、携帯端末管理サーバー２及びＷｅｂサイト提供サーバー３は、互いに異なる事業者（管理会社１１ａ，１１ｂ）がそれぞれ管理する。従って、管理会社１１ａ，１１ｂは、自社に分担される機能のみを管理すればよいので、サービスの提供が容易となるという効果を有する。
【００５４】
＜実施の形態５＞
実施の形態１においては、携帯端末１を用いた承認操作が行われると閲覧端末パソコン４上にプライベートコンテンツが表示される形態について説明したが、閲覧端末パソコン４上にではなく、図１１に示すように、携帯端末１上にプライベートコンテンツを表示してもよい。図１１においては、例えば、設置カメラ映像２３を縮小した設置カメラ映像２３ａを表示させることによって、操作端末用パソコン４上と同一のコンテンツを操作端末用パソコン４上に表示させている。これにより、操作端末用パソコン４が近くにない環境であっても、携帯端末１を用いて閲覧を行うことができる。
【００５５】
このように、本実施の形態に係るＷｅｂ閲覧方法及びＷｅｂサイト閲覧システムにおいては、閲覧端末パソコン４上にではなく、携帯端末１上にプライベートコンテンツを表示するので、閲覧端末パソコン４から離れた場所であっても、携帯端末１を用いて閲覧を行うことができるという効果を有する。
【図面の簡単な説明】
【００５６】
【図１】実施の形態１に係るＷｅｂサイト閲覧システムを示す構成図である。
【図２】実施の形態１に係る操作端末用パソコンにおける表示画像を示す図である。
【図３】実施の形態１に係るＷｅｂサイト閲覧方法を示すシーケンスチャートである。
【図４】実施の形態１に係る操作端末用パソコンにおける表示画像を示す図である。
【図５】実施の形態１に係る携帯端末における表示画像を示す図である。
【図６】実施の形態１に係る携帯端末における表示画像を示す図である。
【図７】実施の形態１に係る携帯端末における表示画像を示す図である。
【図８】実施の形態２に係るＷｅｂサイト閲覧システムを示す構成図である。
【図９】実施の形態３に係るＷｅｂサイト閲覧システムを示す構成図である。
【図１０】実施の形態４に係るＷｅｂサイト閲覧システムを示す構成図である。
【図１１】実施の形態５に係る携帯端末における表示画像を示す図である。
【符号の説明】
【００５７】
１  携帯端末、２  携帯端末管理サーバー、３  Ｗｅｂサイト提供サーバー、４  操作端末用パソコン、５  携帯端末ネットワーク、６  映像／データ収集制御端末、７  カメラ装置、８  電子ロック装置、９  センサ装置、１０  広告依頼会社、１１，１１ａ，１１ｂ  管理会社、１２  専用線、１３  ネットワーク回線、２０  マイホーム管理サイト、２１  ログイン名、２２  マイホーム機器状態、２３，２３ａ  設置カメラ映像、２４  広告、２５  お好み情報、２６  お知らせ情報。
【図１】
2005122526.tif 000003
【図２】
2005122526.tif 000004
【図３】
2005122526.tif 000005
【図４】
2005122526.tif 000006
【図５】
2005122526.tif 000007
【図６】
2005122526.tif 000008
【図７】
2005122526.tif 000009
【図８】
2005122526.tif 000010
【図９】
2005122526.tif 000011
【図１０】
2005122526.tif 000012
【図１１】
2005122526.tif 000013